(57)【要約】  本発明の実施形態は、無線ステーション（ＳＴＡ）と、無線ステーションと通信する第１アクセスポイント（ＡＰ１）と、無線ステーションと通信する第２アクセスポイント（ＡＰ２）とを備えたシステムを提供する。ＳＴＡは、ポストトランジション延長セッションおよびポストトランジション延長セッションアライブネスインターバルを用いて無線通信を第１アクセスポイント（ＡＰ１）から第２アクセスポイント（ＡＰ２）へ移行し、ポストトランジション延長セッションアライブネスインターバルの期間中は、ＳＴＡおよびＡＰ１は、以前のセッションを生かしておくことができ、ポストトランジション延長セッションの期間中は、ＳＴＡは、ＡＰ１へ戻り全ての残留パケットを回収できる。【選択図】図２
2010515343.tif 000002
【特許請求の範囲】
【請求項１】
無線通信を第１アクセスポイント（ＡＰ１）から第２アクセスポイント（ＡＰ２）へ移行する無線ステーション（ＳＴＡ）を備え、
前記無線通信の移行中、前記無線ステーションは、ポストトランジション延長セッションおよびポストトランジション延長セッションアライブネスインターバルを用いる、装置。
【請求項２】
前記ポストトランジション延長セッションおよび前記ポストトランジション延長セッションアライブネスインターバルは、前記ポストトランジション延長セッションアライブネスインターバルの期間中、前記ＳＴＡおよび前記ＡＰ１に以前のセッションを保持させておくことができ、前記ポストトランジション延長セッションの期間中、前記ＳＴＡはＡＰ１へ戻り、全ての残留パケットを回収することができる、請求項１に記載の装置。
【請求項３】
前記ポストトランジション延長セッションアライブネスインターバルは、２バイト長であり、接続あるいは再接続プロセス中に前記ＡＰ１と前記ＳＴＡとの間でネゴシエートされる、請求項２に記載の装置。
【請求項４】
前記ＳＴＡがＡＰ２への移行を決定すると、前記ＳＴＡはパワーセーブモードの意思表示を前記ＡＰ１へ送信して前記ＳＴＡへの全ての受信データを前記ＡＰ１にバッファさせ、続いて、前記ＳＴＡは前記ＡＰ２との再接続プロセスおよび鍵導出を実行する、請求項３に記載の装置。
【請求項５】
前記ＳＴＡは、前記ＡＰ２から再接続レスポンスを受信すると、前記ＳＴＡにパワーセービングモードの意思表示を前記ＡＰ２へ即座に送信して前記ＳＴＡの受信データを前記ＡＰ２にバッファさせ、前記ＡＰ１へ切替えバッファされたデータの有無を確認し、存在する場合は、前記ＳＴＡは、前記バッファされたデータを前記ＡＰ１からポーリングする、請求項４に記載の装置。
【請求項６】
前記ＳＴＡは、データを除去すると、新たなＡＰへと切替え、「アクティブ」状態を明示して、前記ＡＰ２から前記バッファされたデータをポーリングし、続いて、前記ＡＰ１は、接続状態を解除するか、またはタイムアウトに基づいて前記接続状態を期限切れとする、請求項５に記載の装置。
【請求項７】
無線ステーション（ＳＴＡ）は、ポストトランジション延長セッションおよびポストトランジション延長セッションアライブネスインターバルを用いて、無線通信を第１アクセスポイント（ＡＰ１）から第２アクセスポイント（ＡＰ２）へ移行する段階、を備える方法。
【請求項８】
前記ポストトランジション延長セッションアライブネスインターバルの期間中および前記ポストトランジション延長セッションの期間中は、前記ＳＴＡおよび前記ＡＰ１に以前のセッションを保持させる段階と、前記ＳＴＡが前記ＡＰ１に戻り、前記ＳＴＡは全ての残留パケットを回収する段階と、をさらに備える、請求項７に記載の方法。
【請求項９】
前記ポストトランジション延長セッションアライブネスインターバルは、２バイト長であり、接続あるいは再接続プロセス中に前記ＡＰ１と前記ＳＴＡとの間でネゴシエートされる、請求項８に記載の方法。
【請求項１０】
前記ＳＴＡがＡＰ２への移行を決定すると、前記ＳＴＡはパワーセーブモードの意思表示をＡＰ１へ送信して前記ＳＴＡへの全ての受信データを前記ＡＰ１にバッファさせる段階と、続いて、前記ＳＴＡが前記ＡＰ２との再接続プロセスおよび鍵導出を実行する段階と、をさらに備える、請求項９に記載の方法。
【請求項１１】
前記ＳＴＡは、前記ＡＰ２から再接続レスポンスを受信すると、パワーセービングモードの意思表示を前記ＡＰ２へ即座に送信して前記ＳＴＡの受信データを前記ＡＰ２にバッファさせ、さらに前記ＳＴＡは前記ＡＰ１へ切替わりバッファされたデータの有無を確認し、存在する場合は、前記ＳＴＡは、前記バッファされたデータを前記ＡＰ１からポーリングする、請求項１０に記載の方法。
【請求項１２】
前記ＳＴＡは、データを除去した後、新たなＡＰへと切替え、「アクティブ」状態を明示して、前記ＡＰ２から前記バッファされたデータをポーリングする段階と、続いて、前記ＡＰ１は、接続状態を解除するか、またはタイムアウトに基づいて前記接続状態を期限切れとする段階と、をさらに備える、請求項１１に記載の方法。
【請求項１３】
機械でアクセス可能な記憶媒体であって、
アクセスされると、機械に動作を実行させる命令を提供し、前記動作は、
無線通信を第１アクセスポイント（ＡＰ１）から第２アクセスポイント（ＡＰ２）へ移行するべく、無線ステーション（ＳＴＡ）は、ポストトランジション延長セッションおよびポストトランジション延長セッションアライブネスインターバルを用いる段階を備える、機械でアクセス可能な記憶媒体。
【請求項１４】
前記命令は、前記機械に、前記ポストトランジション延長セッションアライブネスインターバルの期間中および前記ポストトランジション延長セッションの期間中は、前記ＳＴＡおよび前記ＡＰ１に以前のセッションを保持させる段階と、前記ＳＴＡは前記ＡＰ１に戻り、前記ＳＴＡが全ての残留パケットを回収する段階と、をさらに備える動作を実行させる、請求項１３に記載の機械でアクセス可能な記憶媒体。
【請求項１５】
前記ポストトランジション延長セッションアライブネスインターバルを２バイト長にする段階をさらに備える動作を前記機械に実行させる、前記命令を備える、請求項１４に記載の機械でアクセス可能な記憶媒体。
【請求項１６】
前記ＳＴＡは、前記ＡＰ２への移行を決定すると、前記ＳＴＡはパワーセーブモードの意思表示を前記ＡＰ１へ送信して前記ＳＴＡへの全ての受信データを前記ＡＰ１にバッファさせる段階と、続いて、前記ＳＴＡが前記ＡＰ２との再接続プロセスおよび鍵導出を実行する段階と、をさらに備える動作を前記機械に実行させる、前記命令を備える、請求項１５に記載の機械でアクセス可能な記憶媒体。
【請求項１７】
前記ＳＴＡは、前記ＡＰ２から再接続レスポンスを受信すると、前記ＳＴＡの受信データを前記ＡＰ２にバッファさせるべく、前記ＳＴＡがパワーセービングモードの意思表示を前記ＡＰ２へ即座に送信する段階と、前記ＳＴＡは前記ＡＰ１へ切替わりバッファされたデータの有無を確認する段階と、存在する場合は、前記ＳＴＡが前記バッファされたデータを前記ＡＰ１からポーリングする段階と、をさらに備える動作を前記機械に実行させる、前記命令を備える、請求項１６に記載の機械でアクセス可能な記憶媒体。
【請求項１８】
前記ＳＴＡは、データを除去した後、新たなＡＰへと切替え、「アクティブ」状態を明示し、前記ＡＰ２から前記バッファされたデータをポーリングする段階と、続いて、前記ＡＰ１は、接続状態を解除するか、またはタイムアウトに基づいて前記接続状態を期限切れとする段階と、をさらに備える動作を前記機械に実行させる、前記命令を備える、請求項１７に記載の機械でアクセス可能な記憶媒体。
【請求項１９】
無線ステーション（ＳＴＡ）と、無線ステーションと通信する第１アクセスポイント（ＡＰ１）と、無線ステーションと通信する第２アクセスポイント（ＡＰ２）と、を備え、
前記ＳＴＡは、ポストトランジション延長セッションおよびポストトランジション延長セッションアライブネスインターバルを用いて無線通信を前記第１アクセスポイント（ＡＰ１）から前記第２アクセスポイント（ＡＰ２）へ移行し、前記ポストトランジション延長セッションアライブネスインターバルの期間中は、前記ＳＴＡおよび前記ＡＰ１は、以前のセッションを保持しておくことができ、前記ポストトランジション延長セッションの期間中は、前記ＳＴＡは、前記ＡＰ１へ戻り全ての残留パケットを回収できる、システム。
【請求項２０】
前記ポストトランジション延長セッションアライブネスインターバルは２バイト長であり、接続あるいは再接続プロセス中に前記ＡＰ１と前記ＳＴＡとの間でネゴシエートされる、請求項１９に記載のシステム。
【請求項２１】
前記ＳＴＡがＡＰ２への移行を決定すると、前記ＳＴＡはパワーセーブモードの意思表示をＡＰ１へ送信して前記ＳＴＡへの全ての受信データを前記ＡＰ１にバッファさせ、続いて、前記ＳＴＡは前記ＡＰ２との再接続プロセスおよび鍵導出を実行する、請求項２０に記載のシステム。
【請求項２２】
前記ＡＰ１および／または前記ＡＰ２に接続したダイポール方向性アンテナをさらに含む、請求項２１に記載のシステム。
【発明の詳細な説明】
【背景技術】
【０００１】
パケットロスは、あるアクセスポイント（ＡＰ）から別のＡＰへ、モバイルクライアントが移行した場合に起こる、周知の課題である。ＩＥＥＥ（米国電気電子学会）の８０２．１１ｒ（Ｆａｓｔ  ＢＳＳ  Ｔｒａｎｓｉｔｉｏｎ）規格策定が進み、２つのＡＰ間の移行時間は顕著に短縮されてはきたが、８０２．１１ｒシグナリングが最終フェーズを終了する際、パケットが以前のＡＰへ向けられてしまい、失われてしまう時間が未だに存在する。パケットロスは主として、クライアントが新しいＡＰへ移動した後でも以前のＡＰで送信を待機しているキューパケットと、移行プロセス中に誤った方向（以前のＡＰ）へ向けられたパケットとに起因する。ＩＥＥＥ  ８０２．１１ｎデバイスへのＡｇｇｒｅｇａｔｅｄ  ＭＳＤＵの導入は、前述の状況をさらに悪化させる。
【０００２】
このことから、無線ネットワークの基本サービスセットにおいて、パケットロスなしに移行を行う技術が強く望まれている。
【図面の簡単な説明】
【０００３】
本発明の主題は、詳しく説明されており、明細書の結びの部分に明確に請求されている。但し、発明は、動作の構成と方法との両方について、発明の目的、特徴、および効果と共に、以下の詳細な説明と次の図面を参照することで、より適切に理解され得る。
【０００４】
【図１】本発明の実施形態における、ＢＳＳ移行期のパケットロスを示す。
【０００５】
【図２】本発明の実施形態における、パケットロスを回避する移行手順を示す。
【０００６】
当然のことながら、説明を単純および明確にすべく、図中の要素は必ずしも正しい縮尺で描かれていない。例えば、明確性を目的に、いくつかの要素は、他の要素に比べて寸法が強調されている。さらに、対応あるいは類似の要素を示す参照番号は、複数の図中で適宜繰り返し使用されている。
【発明を実施するための形態】
【０００７】
以下の詳細な説明では、発明の理解を深めることを目的に、様々な具体的な詳細が示されている。但し、これらの具体的な詳細を用いることなく本発明の実施が可能であることは、当業者にとって明らかである。例えば、発明を明瞭にすべく、公知の方法、手順、構成部材、および回路は詳細に説明しない。
【０００８】
発明の実施形態は、様々な用途に用いてよい。発明の実施形態は、様々なデバイスおよびシステムと併せて使用してよい。例えば、送信機、受信機、トランシーバ、送受信機、無線通信端末、無線通信デバイス、無線アクセスポイント（ＡＰ）、モデム、無線モデム、パソコン（ＰＣ）、デスクトップコンピュータ、モバイルコンピュータ、ラップトップコンピュータ、ノートブックコンピュータ、タブレットコンピュータ、サーバコンピュータ、モバイルコンピュータ、モバイルデバイス、ＰＤＡデバイス、モバイルＰＤＡデバイス、ネットワーク、無線ネットワーク、ローカルエリアネットワーク（ＬＡＮ）、無線ローカルエリアネットワーク（ＷＬＡＮ）、メトロポリタンエリアネットワーク（ＭＡＮ）、無線メトロポリタンエリアネットワーク（ＷＡＭＮ）、ワイドエリアネットワーク（ＷＡＮ）、無線ワイドエリアネットワーク（ＷＡＮ）、既存のＩＥＥＥ８０２．１１、  ８０２．１１ａ、  ８０２．１１ｂ、  ８０２．１１ｅ、  ８０２．１１ｇ、  ８０２．１１ｈ、  ８０２．１１ｉ、  ８０２．１１ｎ、  ８０２．１６、  ８０２．１６ｄ、  ８０２．１６ｅ規格、および／またはこれらの改訂バージョン、および／または派生バージョン、および／またはロングタームエボリューション（ＬＴＥ）に準拠して動作する、デバイスおよび／またはネットワーク、パーソナルエリアネットワーク（ＰＡＮ）、無線パーソナルエリアネットワーク（ＷＰＡＮ）、上記のＷＡＬＮおよび／またはＰＡＮおよび／またはＷＰＡＮネットワークの一部であるユニットおよび／またはデバイス、一方向および／または双方向無線通信システム、セルラー無線電話通信システム、セルラー電話、無線電話、パーソナルコミュニケーションシステム（ＰＣＳ）デバイス、無線通信デバイス付きＰＤＡデバイス、マルチプルインプットマルチプルアウトプット（ＭＩＭＯ）送受信機またはデバイス、シングルインプットシングルアウトプット（ＳＩＭＯ）送受信機またはデバイス、マルチインプットシングルアウトプット（ＭＩＳＯ）送受信機またはデバイス、マルチレシーバチェーン（ＭＲＣ）送受信機またはデバイス、「スマートアンテナ」技術または複数アンテナ技術などを有する送受信機またはデバイスなどである。発明のいくつかの実施形態は、１つまたは複数のタイプの無線通信シグナルおよび／またはシステムと併せて使用してよい。例えば、無線（ＲＦ）、赤外線（ＩＲ）、周波数分割多重（ＦＤＭ）、直交波周波数分割多重（ＯＦＤＭ）、時分割多重（ＴＤＭ）、時分割多元接続（ＴＤＭＡ）、延長時分割多元接続（Ｅ−ＴＤＭＡ）、ジェネラルパケットラジオサービス（ＧＰＲＳ）、延長ＧＰＲＳ、符号分割多重接続（ＣＤＭＡ）、広帯域符号分割多重接続（ＷＣＤＭＡ）、ＣＤＭＡ２０００、重搬送波変調（ＭＤＭ）、ＤＭＴ、Ｂｌｕｅｔｏｏｔｈ（登録商標）、ＺｉｇＢｅｅ（商標）などである。本発明の実施形態は、その他の様々な装置、デバイス、システムおよび／またはネットワークで使用してよい。
【０００９】
本発明の実施形態はこの点において制限されないが、例えば「処理する」、「コンピュータ処理する」、「算出する」、「判断する」、「確立する」、「分析する」、「確認する」またはこれらの類義語は、コンピュータ、コンピュータプラットフォーム、コンピューティングシステム、またはその他の電子コンピューティングデバイス（複数の）の動作および／または（複数の）プロセスを示してよい。コンピュータ、コンピュータプラットフォーム、コンピューティングシステム、またはその他の電子コンピューティングデバイスは、コンピュータのレジスタおよび／またはメモリ内の物理的（例、電子的）な数量で表現されたデータを、コンピュータのレジスタおよび／またはメモリ、あるいはその他の情報記憶媒体内の、同様に物理的な数表で表現されたデータへと操作および／または変換する。なお、その他の情報記憶媒体は、動作および／またはプロセスを実行する命令を格納してよい。
【００１０】
以下の説明の「複数」および「複数の」などの語句は、例えば「複数」または「２つ以上」を含んでよいが、本発明の実施形態はこの点において制限されない。以下の説明では、「複数」または「複数の」は２つ以上の構成部材、デバイス、要素、ユニット、パラメータなどを意味してよい。例えば、「複数のステーション」は２つ以上のステーションを意味してよい。
【００１１】
前述の通り、パケットロスは、あるＡＰから別のＡＰへモバイルクライアントが移行する際の重要な課題である。ＡＰ間の移行時間は、ＩＥＥＥの８０２．１１ｒ（Ｆａｓｔ  ＢＳＳ  Ｔｒａｎｓｉｔｉｏｎ）技術により顕著に短縮されてはきたが、パケットロスが発生し得る時間は未だに存在する。特に、移行期に現在のＡＰに待機している、あるいは同じ移行期に以前のＡＰへ誤って向けられたパケットが失われる。これは８０２．１１ｎのＡ−ＭＳＤＵ機能で更に悪化し、移行中のパケットロスが増加する。
【００１２】
図１のように、パケットロスはＢＳＳの移行時に発生し得る。シナリオ１では、ＤＳが１０５でＡＰ１  １１５とＡＰ２  １２０とを接続する。これらは無線ステーション（ＳＴＡ）１３５と無線通信してよい。このシナリオでは、ＡＰ１  １１５にキューされたパケット１１７がパケットロスの原因となる。同様に、シナリオ２では、ＤＳが１１０でＳＴＡ１４０を介してＡＰ１  １２５とＡＰ２  １３０とを接続する。そして、パケットロスは、ＡＰ１  １２５へ誤って向けられたパケット１２７に起因し得る。
【００１３】
本発明の実施形態では、ＳＴＡが新たなＡＰに再接続した後に、ＳＴＡがキューされたパケットを以前のＡＰから受信することを可能にする、ネットワーク／ＡＰの支援スキームを提供する。このスキームにより、ＢＳＳ移行中のパケットロスは皆無となる。このパケットロス回避スキームは、ＢＳＳ移行中のＶｏＩＰ、ビデオ会議、およびビデオストリームのシームレスな接続性を実現する。本発明の実施形態は、無線製品のパフォーマンスを向上し、モバイルユーザの無線ＬＡＮ体験を優れたものにすべく、コミュニケーションプラットフォーム、携帯デバイス、またはアクセスポイントに容易に展開できる。
【００１４】
本発明の実施形態は、ＡＰ間のシームレスでパケットロスのない移行を実現する。これは特に、ウルトラモバイルＰＣ（ＵＭＰＣ）、および携帯型デバイスなどの新しいタイプのデバイスにとって重要であり、その理由は以下の通りである。１．  ＳＴＡが新たなＡＰに再接続された後、ＡＰおよびＳＴＡの接続セッションアライブネスとセッションキーアライブネスとを延長する、ＰＴＳＡＩ（Ｐｏｓｔ−  Ｔｒａｎｓｉｔｉｏｎ  Ｓｅｓｓｉｏｎ  Ａｌｉｖｅｎｅｓｓ  Ｉｎｔｅｒｖａｌ）を定義する。２．  ２つの接続セッションを作成し、パケットの転送に混乱を招くことを回避する。以前のセッションは、あくまでも以前のＡＰとＳＴＡとの間の延長セッションであると捉え、ネットワークスイッチまたはＡＰコントローラ側には新しい接続セッションのみが記録される。３．  ネゴシエーションスキームを定義し、ＡＰとＳＴＡとが、ポストトランジションセッションアライブネスおよびアライブネスインターバルを同期できるようにする。４．  既存のパワーセーブモード動作を用いて、パケットロスのない移行をもたらす、移行動作のシーケンスを定義する。
【００１５】
本技術のいくつかの実施形態は、ポストトランジション延長セッションおよびポストトランジション延長セッションアライブネスインターバル（Ｐｏｓｔ  Ｔｒａｎｓｉｔｉｏｎ  Ｓｅｓｉｏｎ  Ａｌｉｖｅｎｅｓｓ  Ｉｎｔｅｒｖａｌ）を提供する。ステーション（ＳＴＡ）が新しいＡＰへ移行した後、ＳＴＡおよび以前のＡＰは以前のセッションを保持しておき、ポストトランジション延長セッションアライブネスインターバルの間は、ペアワイズテンポラルキー（ＰＴＫ）およびグループテンポラルキー（ＧＴＫ）を生かしておく。ポストトランジション延長セッション中は、ＳＴＡは以前のＡＰへ戻り、全ての残留パケットを回収してよい。ポストトランジションセッションアライブネスインターバルは、２バイト長であってよく、接続（または再接続）プロセス中にＡＰとＳＴＡとの間で再度ネゴシエートされてよい。０値は、ＡＰおよびＳＴＡがこの機能をサポートしないことを意味する。
【００１６】
本発明のいくつかの実施形態は、パケットロスを回避する移行動作において、次の手順を行う。
【００１７】
−ＳＴＡがＡＰ１に接続していると仮定する。ＳＴＡが新たなＡＰ（例、ＡＰ２）へ移行する際に、ＳＴＡはパワーセーブモードの意思表示をＡＰ１へ送信し、ＡＰ１はＳＴＡの受信データをバッファする。
【００１８】
−ＳＴＡは、新たなＡＰ（ＡＰ２）と再接続プロセスおよび鍵導出、すなわち８０２．１１ｒの受信標準手順を実行する。
【００１９】
−ＳＴＡがＡＰ２から再接続プロセスレスポンスを受信すると、ＳＴＡは直ちにパワーセーブモードの意思表示を新たなＡＰ（ＡＰ２）へ送信する。これにより、ＡＰ２はＳＴＡの全ての受信データをバッファする。
【００２０】
−ＳＴＡは以前のＡＰ（ＡＰ１）へ戻り、バッファされたデータの有無を確認する。バッファされたデータが存在する場合は、ＳＴＡはバッファされたデータをＡＰ１からポーリングする。
【００２１】
−データを除去すると、ＳＴＡは新たなＡＰへ切替わり、「アクティブ」状態を明示する。さらに、バッファされたパケットを新たなＡＰからポーリングする。
【００２２】
−ＡＰ１は接続状態を解除するか、あるいはタイムアウトに基づいて状態を期限切れにすることができる。
【００２３】
−図２の２００は、本発明のある実施形態のパケットロス回避移行の手順である。モバイルクライアント２０５は、推奨されたＰＴＳＡＩ  ２５５を含んでよい、接続（または再接続）リクエストをＡＰ１  ２１０へ送信してよい。ＡＰ１  ２１０は、確認済みのＰＴＳＡＩ  ２６０を含んでよい、接続（または再接続）レスポンスで応答してよい。２２０で、ＳＴＡが新たなＡＰへ移行する事を決定すると、２６５でパワーセーブモードに設定するよう命令を送信してよい。２６５のパワーセーブモードに設定する命令に応じて、ＡＰ１は、ＳＴＡのパケットを２２５で格納する。２３０は、モバイルクライアント２０５とＡＰ２  ２１５との間の再接続プロセスと鍵導出の通信を示す。２７０で、モバイルクライアント２０５は、ＡＰ２へパワーセーブモードの命令を送信する。ＳＴＡは、以前のＡＰにキューパケットが存在する場合、２３５で以前のＡＰからキューパケットを受信するよう接続を切替え、２７５でアクティブモード命令をＡＰ１に設定する。２４０でポストトランジション延長セッションが発生し、ＡＰ１が２８０で残留パケットをポーリングする。２４５は、モバイルクライアント２０５がアクティブモードを設定した旨をＡＰ２に示す。
【００２４】
本発明のいくつかの実施形態は、例えば、命令または命令セットを格納してよい機械で読み取り可能な媒体または物品によって実施されてよい。命令または命令セットは、例えば図２の装置およびシステム、ＡＰ１  ２１０およびＡＰ２  ２１５と通信するモバイルクライアントまたは無線ステーション（ＳＴＡ）２０５、プロセッサ（図示なし）、あるいはその他の適切な機械によって実行されると、本発明の実施形態に沿った方法および／または動作を機械に実行させる。このような機械は、例えば、適切なあらゆるプロセッシングプラットフォーム、コンピューティングプラットフォーム、コンピューティングデバイス、プロセッシングデバイス、コンピューティングシステム、プロセッシングシステム、コンピュータ、プロセッサ、またはその等価物を含んでよく、ハードウェアおよび／またはソフトウェアの適切なあらゆる組み合わせを用いて実施されてよい。機械で読み取り可能な媒体または物品は、例えば、適切なあらゆるタイプのメモリユニット、メモリデバイス、メモリ製品、メモリ媒体、記憶デバイス、記憶製品、記憶媒体および／または記憶ユニットを含んでよい。より具体的には、メモリ、取り外し可能または不可能なメディア、消去可能または不可能なメディア、書き込み可能または不可能なメディア、デジタルまたはアナログメディア、ハードディスク、フロッピーディスク（登録商標）、読み取り専用コンパクトディスク（ＣＤ−ＲＯＭ）、書き込み可能コンパクトディスク（ＣＤ−Ｒ）、リライタブルコンパクトディスク（ＣＤ−ＲＷ）、光ディスク、磁気メディア、各種ＤＶＤ、テープ、カセット、またはその等価物を含んでよい。命令は、あらゆる適切なタイプのコードを含んでよく、例えば、ソースコード、コンパイル済みコード、インタープレテッドコード、実行可能なコード、スタティックコード、ダイナミックコード、またはその等価物であってよい。例えば、Ｃ、Ｃ＋＋、Ｊａｖａ（登録商標）、ＢＡＳＩＣ、Ｐａｓｃａｌ、Ｆｏｒｔｒａｎ、Ｃｏｂｏｌ、アセンブリ言語、マシンコード、またはその等価物などであってよい。
【００２５】
本発明のある実施形態において、機械でアクセス可能な媒体は、アクセスされると、ポストトランジション延長セッションおよびポストトランジション延長セッションアライブネスインターバルを用いて、無線ステーション（ＳＴＡ）が無線通信を第１のアクセスポイント（ＡＰ１）から第２のアクセスポイント（ＡＰ２）へ移行する動作を機械に実行させる命令を提供してよい。本発明の実施形態において、機械でアクセス可能な媒体は、ポストトランジション延長セッションアライブネスインターバルの期間中、およびポストトランジション延長セッションの期間中、ＳＴＡおよびＡＰ１に以前のセッションを保持させておく段階、およびＳＴＡがＡＰ１へ戻り、全ての残留パケットを回収する段階を含む動作を、機械に実行させる命令をさらに含んでよい。また命令は、ポストトランジションセッションアライブネスインターバルのバイト長を２バイトとする段階をさらに含む動作を、機械に実行させてよい。
【００２６】
さらに、本発明の実施形態において、機械でアクセス可能な媒体はさらに、ＳＴＡがＡＰ２への移行を決定すると、ＡＰ１にＳＴＡの受信データをバッファさせるべくパワーセーブモードの意思表示をＡＰ１へ送信する段階と、続いて、ＳＴＡがＡＰ２と再接続プロセスおよび鍵導出を実行する段階とをさらに含む動作を、機械に実行させる命令をさらに含んでよい。また、機械でアクセス可能な媒体はさらに、ＳＴＡがＡＰ２から再接続レスポンスを受信すると、ＡＰ２にＳＴＡの受信データをバッファさせるべくＳＴＡにパワーセービングモードの意思表示をＡＰ２へ即座に送信させる段階と、さらにＳＴＡにＡＰ１へ戻りバッファされたデータの有無を確認させる段階と、存在する場合はＳＴＡにバッファされたデータをＡＰ１からポーリングさせる段階とをさらに含む動作を、機械に実行させる命令を含んでよい。
【００２７】
また、本発明の実施形態において、機械でアクセス可能な媒体は、新たなＡＰへ切替えて「アクティブ」状態を明示する段階と、ＳＴＡがデータを除去した後にＡＰ２からバッファされたパケットをポーリングさせ、さらに続いて、ＡＰ１との接続状態を解除するか、またはタイムアウトに基づいてその状態を期限切れとさせる段階とをさらに含む動作を、機械に実行させる命令をさらに含んでよい。
【００２８】
本発明のいくつかの実施形態は、特定のアプリケーションに適するように、あるいは特定の設計要件に沿って、ソフトウェア、ハードウェア、あるいはソフトウェアおよび／またはハードウェアのあらゆる組み合わせによって実施されてよい。発明の実施形態は、それぞれ独立した、あるいは組み合わされたユニットおよび／またはサブユニットの全体あるいは一部を含んでよく、当該技術分野で既知の特定、多用途、または汎用プロセッサ、あるいはコントローラ、またはデバイスで実施されてよい。発明のいくつかの実施形態は、データの一時的または長期的格納、あるいは特定の実施形態の動作を促進するべく、バッファ、レジスタ、スタック、記憶ユニット、および／またはメモリユニットを含んでよい。
【００２９】
さらに、本発明の別の実施形態は、無線ステーション（ＳＴＡ）、無線ステーションと通信する第１アクセスポイント（ＡＰ１）、無線ステーションと通信する第２アクセスポイント（ＡＰ２）を備えたシステムを提供する。
【００３０】
ＳＴＡは、ポストトランジション延長セッションおよびポストトランジション延長セッションアライブネスインターバルを用いて無線通信を第１アクセスポイント（ＡＰ１）から第２アクセスポイント（ＡＰ２）へと移行する。ＳＴＡおよびＡＰ１は、ポストトランジション延長セッションアライブネスインターバルの期間中は以前のセッションを保持しておくことができ、ポストトランジション延長セッション中は、ＳＴＡはＡＰ１へ戻り、全ての残留パケットを回収することができる。
【００３１】
以上、本発明の特定の特徴について図示し、説明したが、当業者は、多くの改良、代替、変更、およびその等価物を発想し得る。従って、特許請求の範囲は、本発明の真の精神の範疇内のあらゆる改良および変更を含むことを意図すると理解されるべきである。
【図１】
2010515343.tif 000003
【図２】
2010515343.tif 000004
【手続補正書】
【提出日】平成21年7月22日(2009.7.22)
【手続補正１】
【補正対象書類名】特許請求の範囲
【補正対象項目名】全文
【補正方法】変更
【補正の内容】
【特許請求の範囲】
【請求項１】
無線通信を第１アクセスポイント（ＡＰ１）から第２アクセスポイント（ＡＰ２）へ移行する無線ステーション（ＳＴＡ）を備え、
前記無線通信の移行中、前記無線ステーションは、ポストトランジション延長セッションおよびポストトランジション延長セッションアライブネスインターバルを用いる、装置。
【請求項２】
前記ポストトランジション延長セッションおよび前記ポストトランジション延長セッションアライブネスインターバルは、前記ポストトランジション延長セッションアライブネスインターバルの期間中、前記ＳＴＡおよび前記ＡＰ１に以前のセッションを保持させておくことができ、前記ポストトランジション延長セッションの期間中、前記ＳＴＡはＡＰ１へ戻り、全ての残留パケットを回収することができる、請求項１に記載の装置。
【請求項３】
前記ポストトランジション延長セッションアライブネスインターバルは、２バイト長であり、接続あるいは再接続プロセス中に前記ＡＰ１と前記ＳＴＡとの間でネゴシエートされる、請求項２に記載の装置。
【請求項４】
前記ＳＴＡがＡＰ２への移行を決定すると、前記ＳＴＡはパワーセーブモードの意思表示を前記ＡＰ１へ送信して前記ＳＴＡへの全ての受信データを前記ＡＰ１にバッファさせ、続いて、前記ＳＴＡは前記ＡＰ２との再接続プロセスおよび鍵導出を実行する、請求項３に記載の装置。
【請求項５】
前記ＳＴＡは、前記ＡＰ２から再接続レスポンスを受信すると、前記ＳＴＡにパワーセービングモードの意思表示を前記ＡＰ２へ即座に送信して前記ＳＴＡの受信データを前記ＡＰ２にバッファさせ、前記ＡＰ１へ切替えバッファされたデータの有無を確認し、存在する場合は、前記ＳＴＡは、前記バッファされたデータを前記ＡＰ１からポーリングする、請求項４に記載の装置。
【請求項６】
前記ＳＴＡは、データを除去すると、新たなＡＰへと切替え、「アクティブ」状態を明示して、前記ＡＰ２から前記バッファされたデータをポーリングし、続いて、前記ＡＰ１は、接続状態を解除するか、またはタイムアウトに基づいて前記接続状態を期限切れとする、請求項５に記載の装置。
【請求項７】
無線ステーション（ＳＴＡ）は、ポストトランジション延長セッションおよびポストトランジション延長セッションアライブネスインターバルを用いて、無線通信を第１アクセスポイント（ＡＰ１）から第２アクセスポイント（ＡＰ２）へ移行する段階、を備える方法。
【請求項８】
前記ポストトランジション延長セッションアライブネスインターバルの期間中および前記ポストトランジション延長セッションの期間中は、前記ＳＴＡおよび前記ＡＰ１に以前のセッションを保持させる段階と、前記ＳＴＡが前記ＡＰ１に戻り、前記ＳＴＡは全ての残留パケットを回収する段階と、をさらに備える、請求項７に記載の方法。
【請求項９】
前記ポストトランジション延長セッションアライブネスインターバルは、２バイト長であり、接続あるいは再接続プロセス中に前記ＡＰ１と前記ＳＴＡとの間でネゴシエートされる、請求項８に記載の方法。
【請求項１０】
前記ＳＴＡがＡＰ２への移行を決定すると、前記ＳＴＡはパワーセーブモードの意思表示をＡＰ１へ送信して前記ＳＴＡへの全ての受信データを前記ＡＰ１にバッファさせる段階と、続いて、前記ＳＴＡが前記ＡＰ２との再接続プロセスおよび鍵導出を実行する段階と、をさらに備える、請求項９に記載の方法。
【請求項１１】
前記ＳＴＡは、前記ＡＰ２から再接続レスポンスを受信すると、パワーセービングモードの意思表示を前記ＡＰ２へ即座に送信して前記ＳＴＡの受信データを前記ＡＰ２にバッファさせ、さらに前記ＳＴＡは前記ＡＰ１へ切替わりバッファされたデータの有無を確認し、存在する場合は、前記ＳＴＡは、前記バッファされたデータを前記ＡＰ１からポーリングする、請求項１０に記載の方法。
【請求項１２】
前記ＳＴＡは、データを除去した後、新たなＡＰへと切替え、「アクティブ」状態を明示して、前記ＡＰ２から前記バッファされたデータをポーリングする段階と、続いて、前記ＡＰ１は、接続状態を解除するか、またはタイムアウトに基づいて前記接続状態を期限切れとする段階と、をさらに備える、請求項１１に記載の方法。
【請求項１３】
コンピュータに、
無線通信を第１アクセスポイント（ＡＰ１）から第２アクセスポイント（ＡＰ２）へ移行するべく、無線ステーション（ＳＴＡ）は、ポストトランジション延長セッションおよびポストトランジション延長セッションアライブネスインターバルを用いる手順、
を実行させる、
プログラム。
【請求項１４】
コンピュータに、
前記ポストトランジション延長セッションアライブネスインターバルの期間中および前記ポストトランジション延長セッションの期間中は、前記ＳＴＡおよび前記ＡＰ１に以前のセッションを保持させる手順と、
前記ＳＴＡは前記ＡＰ１に戻り、前記ＳＴＡが全ての残留パケットを回収する手順と、
をさらに実行させる、
請求項１３に記載のプログラム。
【請求項１５】
コンピュータに、
前記ポストトランジション延長セッションアライブネスインターバルを２バイト長にする手順、
をさらに実行させる、
請求項１４に記載のプログラム。
【請求項１６】
コンピュータに、
前記ＳＴＡが前記ＡＰ２への移行を決定すると、前記ＳＴＡがパワーセーブモードの意思表示を前記ＡＰ１へ送信して前記ＳＴＡへの全ての受信データを前記ＡＰ１にバッファさせる手順と、
続いて、前記ＳＴＡが前記ＡＰ２との再接続プロセスおよび鍵導出を実行する手順と、
をさらに実行させる、
請求項１５に記載のプログラム。
【請求項１７】
コンピュータに、
前記ＳＴＡが前記ＡＰ２から再接続レスポンスを受信すると、前記ＳＴＡの受信データを前記ＡＰ２にバッファさせるべく、前記ＳＴＡがパワーセービングモードの意思表示を前記ＡＰ２へ即座に送信する手順と、
前記ＳＴＡが前記ＡＰ１へ切替わりバッファされたデータの有無を確認する手順と、
存在する場合は、前記ＳＴＡが前記バッファされたデータを前記ＡＰ１からポーリングする手順と、
をさらに実行させる、
請求項１６に記載のプログラム。
【請求項１８】
コンピュータに、
前記ＳＴＡが、データを除去した後、新たなＡＰへと切替え、「アクティブ」状態を明示し、前記ＡＰ２から前記バッファされたデータをポーリングする手順と、
続いて、前記ＡＰ１が、接続状態を解除するか、またはタイムアウトに基づいて前記接続状態を期限切れとする手順と、
をさらに実行させる、
請求項１７に記載のプログラム。
【請求項１９】
無線ステーション（ＳＴＡ）と、無線ステーションと通信する第１アクセスポイント（ＡＰ１）と、無線ステーションと通信する第２アクセスポイント（ＡＰ２）と、を備え、
前記ＳＴＡは、ポストトランジション延長セッションおよびポストトランジション延長セッションアライブネスインターバルを用いて無線通信を前記第１アクセスポイント（ＡＰ１）から前記第２アクセスポイント（ＡＰ２）へ移行し、前記ポストトランジション延長セッションアライブネスインターバルの期間中は、前記ＳＴＡおよび前記ＡＰ１は、以前のセッションを保持しておくことができ、前記ポストトランジション延長セッションの期間中は、前記ＳＴＡは、前記ＡＰ１へ戻り全ての残留パケットを回収できる、システム。
【請求項２０】
前記ポストトランジション延長セッションアライブネスインターバルは２バイト長であり、接続あるいは再接続プロセス中に前記ＡＰ１と前記ＳＴＡとの間でネゴシエートされる、請求項１９に記載のシステム。
【請求項２１】
前記ＳＴＡがＡＰ２への移行を決定すると、前記ＳＴＡはパワーセーブモードの意思表示をＡＰ１へ送信して前記ＳＴＡへの全ての受信データを前記ＡＰ１にバッファさせ、続いて、前記ＳＴＡは前記ＡＰ２との再接続プロセスおよび鍵導出を実行する、請求項２０に記載のシステム。
【請求項２２】
前記ＡＰ１および／または前記ＡＰ２に接続したダイポール方向性アンテナをさらに含む、請求項２１に記載のシステム。
【国際調査報告】
2010515343.tif 000005
2010515343.tif 000006